(57)【要約】  灌流イメージングデータプロセッサは、灌流イメージングデータの時系列データセットの同一のボクセルのサブセットに表される２以上の循環サブシステムのそれぞれについて２以上の薬剤ピーク特性時間を判定するよう構成される薬剤ピーク特性時間判定手段と、前記２以上の薬剤ピーク特性時間のそれぞれについて薬剤ピーク引数を判定するよう構成される薬剤ピーク引数判定手段と、前記２以上の薬剤ピーク特性時間の薬剤ピーク引数の間の関係を判定するよう構成される薬剤ピーク引数関係判定手段と、前記判定された関係と前記灌流イメージングデータとに基づき少なくとも１つの灌流マップを生成するよう構成される灌流マップ生成手段であって、前記少なくとも１つの灌流マップは、前記２以上の循環サブシステムの間の関係又は相違の少なくとも１つを視覚的に提示するボリュームイメージデータを含む、灌流マップ生成手段とを有する。
2014530706.tif 000002
【特許請求の範囲】
【請求項１】
灌流イメージングデータの時系列データセットの同一のボクセルのサブセットに表される２以上の循環サブシステムのそれぞれについて２以上の薬剤ピーク特性時間を判定するよう構成される薬剤ピーク特性時間判定手段と、
前記２以上の薬剤ピーク特性時間のそれぞれについて薬剤ピーク引数を判定するよう構成される薬剤ピーク引数判定手段と、
前記２以上の薬剤ピーク特性時間の薬剤ピーク引数の間の関係を判定するよう構成される薬剤ピーク引数関係判定手段と、
前記判定された関係と前記灌流イメージングデータとに基づき少なくとも１つの灌流マップを生成するよう構成される灌流マップ生成手段であって、前記少なくとも１つの灌流マップは、前記２以上の循環サブシステムの間の関係又は相違の少なくとも１つを視覚的に提示するボリュームイメージデータを含む、灌流マップ生成手段と、
を有する灌流イメージングデータプロセッサ。
【請求項２】
２以上の薬剤ピーク特性時間のそれぞれの確率分布を判定するよう構成される確率分布判定手段であって、各確率分布は１つの循環サブシステムに対応する、確率分布判定手段を更に有し、
前記２以上の薬剤ピーク特性時間の１つの確率分布は、前記２以上の薬剤ピーク特性時間の１つの対応するピークが前記循環サブシステムの真のピークである確率を表し、
前記ピーク引数判定手段は、前記同一の循環サブシステムの複数の薬剤ピーク特性時間から選択された１つの薬剤ピーク特性時間に基づき、前記循環サブシステムの１つについて薬剤ピーク引数を判定する、請求項１記載のプロセッサ。
【請求項３】
前記薬剤ピーク特性時間判定手段は、薬剤ピーク特性時間を判定するためのアルゴリズムを含む第１モデルに基づき、前記２以上の薬剤ピーク特性時間を判定する。請求項１又は２記載のプロセッサ。
【請求項４】
前記ピーク引数判定手段は、ピーク引数を判定するためのアルゴリズムを含む第２モデルに基づき、前記ピーク引数を判定する、請求項１乃至３何れか一項記載のプロセッサ。
【請求項５】
前記薬剤ピーク特性時間判定手段は、前記２以上の薬剤ピーク特性時間を繰り返し判定し、
１以上の繰り返しにおいて、薬剤ピーク特性時間が、以前に判定された薬剤ピーク特性時間に基づき判定される、請求項１乃至４何れか一項記載のプロセッサ。
【請求項６】
前記薬剤ピーク引数関係判定手段は、前記薬剤ピーク引数の間の関係を繰り返し判定し、
１以上の繰り返しにおいて、薬剤ピーク引数関係が、前記同一の繰り返し中に生成された薬剤ピーク特性時間に基づき判定される、請求項５記載のプロセッサ。
【請求項７】
１以上の繰り返しにおいて、前記ピークの適合性が、ピーク制約と一貫性基準とを含むモデルに対してチェックされる、請求項５又は６記載のプロセッサ。
【請求項８】
前記灌流マップ生成手段は、前記信号を繰り返し判定し、
１以上の繰り返しにおいて、前記薬剤ピーク引数関係判定手段は、異なる薬剤ピーク特性時間の薬剤ピーク引数の間の関係を判定し、
前記灌流マップ生成手段は、判定された各関係について前記信号を繰り返し判定する、請求項１乃至７何れか一項記載のプロセッサ。
【請求項９】
１以上の繰り返しにおいて、少なくとも１つの異なる薬剤ピーク特性時間が利用され、
前記少なくとも１つの異なる薬剤ピーク特性時間は、所定の制約又はコスト関数の１以上を受けるマップイメージ状態を向上させる薬剤ピーク特性時間に対応する、請求項８記載のプロセッサ。
【請求項１０】
１以上の繰り返しにおいて、少なくとも１つの異なる薬剤ピーク特性時間が利用され、
前記少なくとも１つの異なる薬剤ピーク特性時間は、前記薬剤ピーク特性時間のトータルの確率を増加させる薬剤ピーク特性時間に対応する、請求項８又は９記載のプロセッサ。
【請求項１１】
前記薬剤ピーク引数は、ピーク強度、ピーク勾配又はピークの周囲の領域に関する情報の少なくとも１つを含む、請求項１乃至１０何れか一項記載のプロセッサ。
【請求項１２】
前記灌流マップを視覚的に提示するよう構成されるイメージプロセッサを更に有し、
前記灌流マップは、分離したイメージ又は重畳したイメージの少なくとも１つを視覚的に提示し、
前記イメージのそれぞれは、異なる循環サブシステム、前記循環サブシステムの間の関係又は前記循環サブシステムの間の相違の少なくとも１つに対応する、請求項１乃至１１何れか一項記載のプロセッサ。
【請求項１３】
前記２以上の循環サブシステムの間の関係又は相違の少なくとも１つが、異なるカラーを用いて視覚的に強調される、請求項１２記載のプロセッサ。
【請求項１４】
前記２以上の循環サブシステムに対応する他の情報がまた、グラフ、ヒストグラム又はテーブルの１以上により視覚的に提示される、請求項１２又は１３記載のプロセッサ。
【請求項１５】
プロセッサが、灌流イメージングデータの時系列データセットの同一のボクセルのサブセットに表される２以上の異なる循環サブシステムに対応する２以上の薬剤ピーク特性時間に対応する薬剤ピーク引数の間の関係又は相違の少なくとも１つを、前記同一のボクセルのサブセットに基づき判定するステップと、
前記関係又は相違の少なくとも１つを視覚的に提示するステップと、
を有する方法。
【請求項１６】
各確率分布が１つの循環サブシステムに対応する２以上の薬剤ピーク特性時間のそれぞれの確率分布を判定するステップであって、前記２以上の薬剤ピーク特性時間の１つの確率分布は、前記２以上の薬剤ピーク特性時間の１つの対応するピークが前記循環サブシステムの真のピークである確率を表す、判定するステップと、
前記同一の循環サブシステムの複数の薬剤ピーク特性時間から選択された薬剤ピーク特性時間の１つに基づき、前記薬剤ピーク引数の少なくとも１つを判定するステップと、
を更に有する、請求項１５記載の方法。
【請求項１７】
前記２以上の薬剤ピーク特性時間を繰り返し判定するステップを更に有し、
１以上の繰り返しにおいて、薬剤ピーク特性時間が、以前に判定された薬剤ピーク特性時間に基づき判定される、請求項１５又は１６記載の方法。
【請求項１８】
前記関係又は前記相違の少なくとも１つに基づき少なくとも１つの灌流マップを判定するステップを更に有し、
前記少なくとも１つの灌流マップは、前記２以上の循環サブシステムの間の関係又は相違の少なくとも１つを視覚的に提示するボリュームイメージデータを含む、請求項１５乃至１７何れか一項記載の方法。
【請求項１９】
前記灌流マップを繰り返し判定するステップを更に有し、
１以上の繰り返しにおいて、前記灌流マップは、異なる薬剤ピーク特性時間の薬剤ピーク引数の間の関係又は相違に基づき生成される、請求項１８記載の方法。
【請求項２０】
１以上の繰り返しにおいて、少なくとも１つの異なる薬剤ピーク特性時間が利用され、
前記少なくとも１つの異なる薬剤ピーク特性時間は、造影物質のピーク特性時間のトータルの確率を増加し、及び／又は所定の制約又はコスト関数の１以上を受けるマップイメージ状態を向上させる薬剤ピーク特性時間に対応する、請求項１９記載の方法。
【請求項２１】
前記薬剤ピーク引数は、ピーク強度、ピーク勾配又はピークの周囲の領域に関する情報の少なくとも１つを含む、請求項１５乃至２０何れか一項記載の方法。
【請求項２２】
前記関係又は前記相違の少なくとも１つは、同一のイメージを形成するよう重畳されるか又は分離したイメージにより視覚的に提示される、請求項１５乃至２１何れか一項記載の方法。
【請求項２３】
灌流イメージングデータの同一のボクセルのグループにおける２以上の薬剤ピークの間の関係又は相違の少なくとも１つを視覚的に示すイメージングデータを含む灌流マップを生成するステップを有する方法。
【請求項２４】
前記２以上の薬剤ピークは、被検者の２以上の異なる循環サブシステムにおける薬剤に対応する、請求項２３記載の方法。
【請求項２５】
前記２以上の薬剤ピークは、被検者の同一の循環サブシステムに対応する、請求項２３記載の方法。
【発明の詳細な説明】
【技術分野】
【０００１】
以下は、一般に灌流イメージングに関し、ＣＴ（Ｃｏｍｐｕｔｅｄ  Ｔｏｍｏｇｒａｐｈｙ）への特定の適用により説明される。しかしながら、以下はまた、ＭＲＩ、ＰＥＴ、ＳＰＥＣＴ、ＵＳ、光トモグラフィ及び／又は他のイメージングモダリティなどの他のイメージングモダリティに修正可能である。
【背景技術】
【０００２】
灌流イメージング及び関連する透過性イメージング、ダイナミックコントラストイメージング又はファーストパススキャンという関連する用語は、イメージングのための既知の技術であり、患者の体内の血流に関するパラメータを評価する。灌流イメージングは、体内の物理的構造と組織機能及び生存能力との双方を検出するのに利用可能である。灌流イメージングは、例えば、脳卒中やインフラクト（ｉｎｆｒａｃｔ）の結果として脳又は心臓の損傷を有する患者を研究するのに有用である。癌患者は、肝臓、肺、膵臓などの組織、肺、肝臓及び腎臓などの臓器の全体的な臓器機能の疾患を有する。灌流イメージングは、多数のタイプの癌及び腫瘍を定量的に評価するための重要なツールである可能性がある。灌流イメージングは血流特性を基本的に測定するため、複数のイメージングモダリティが、適切な投薬される造影剤と共に利用可能である。例えば、灌流イメージングは、ヨウ素造影剤によるＣＴ、ガドリニウムや酸化鉄造影剤によるＭＲＩ、複数タイプの放射性追跡子によるＰＥＴ及びＳＰＥＣＴ、並びにマイクロバブル造影剤による超音波により実行可能である。動物前臨床イメージングでは、蛍光剤により光トモグラフィがまた適用可能である。
【０００３】
灌流イメージング技術は、通常は（タイムフレーム毎に１〜１０秒など）連続するスキャン間の数秒の差による３〜３０回の繰り返しのスキャンの間など、複数の異なる時点について関心ボリュームの繰り返しのイメージングを必要とする。一般的な灌流技術では、造影剤のボーラス投与が、例えば、自動注入器などによって患者の循環器系に投与され、関心領域からのイメージが関心領域における組織を介した造影剤のボーラス投与の通過をカバーする期間の間に収集される。造影剤の局所的な濃度の経時的変化は（画像データから推測可能な）、生理パラメータを解析するのに利用される。臨床実務では、灌流画像系列が定性的に調べられるか、又は特別な解析アルゴリズムにより定量的に評価されることが一般的である。評価結果は、ある領域について又はボクセル毎に、血流の絶対的な測定結果、血量、平均通過時間、到着時間、透過性表面、ピークまでの時間、ピーク強度、最大傾斜及び他のパラメータを含むものであってもよい。このような血流及び血管新生の引数は、“灌流マップ”という一般的な用語により参照される構造により表すことができる。
【０００４】
癌診断における灌流を利用するための特定の関心は、主として血管形成減少に関する。傷を治癒し、傷や損傷後に血流を組織に再開するための血管形成が健全な体において行われている。典型的には、通常の血管増生は、栄養を体組織に提供する目的により進展し、血管の成長と細胞の需要との間の均衡が確立されるように、通常の血管が進化する。癌性組織の進展は当該組織の周辺の過剰な血管形成と関連する。新たに形成された血管はさらに、癌細胞の過剰な増殖を導く可能性がある。従って、異常な血管形成の早期の検出及び処置中のフォローアップが、各種の癌に関連する罹患率及び致死率の低減に重要である。灌流研究はまた、通常は癌組織における血管が通常の血管よりはるかに細胞内空間に漏洩する傾向があるため、重要ファクタとして考えられる腫瘍領域における血管の透過性を測定することを可能にする。
【０００５】
癌診断に関して、ＭＲＩ及びＣＴは、解剖学的特徴を判断するのに大変効果的である。しかしながら、それらは通常は、腫瘍組織又は隣接組織の機能状態に関する情報（血管形成、組織生存能力、悪性の程度など）をほとんど伝達しない。ある程度の悪性腫瘍はコントラストがエンハンスされたイメージングにより間接的に示唆されるが、コントラストエンハンスメントの程度は腫瘍悪性度の信頼できるインジケータでは決していないことを複数の研究が証明した。ＰＥＴ及びＳＰＥＣＴイメージングは通常は、画像化された組織の機能パラメータを示す。しかしながら、多くのケースでは、この情報は不十分である。例えば、腫瘍学において用いられる一般的なＦＤＧ−ＰＥＴ検査はしばしば、癌のステージングや医療的処置に対するそれの反応を正確に通知することはできない。
【０００６】
腫瘍の灌流イメージングは、例えば、腫瘍における血量（ＢＶ）又は血流（ＢＦ）などをイメージングすることによって、腫瘍の成長に関連する血管の増大（血管形成及び新血管新生）を示すのに利用される。ＢＶ値は血管分布（ｖａｓｃｕｌａｒｉｔｙ）の悪性度と相関し、高い悪性度（悪性）の腫瘍は低い悪性度（悪性の低い）の腫瘍より高いＢＶ値を有する傾向がある。新血管新生はまた、転移形成を最終的に導く体全体を通じた癌細胞の伝播に影響を与える。固形腫瘍の血管新生レベルは、それの転移の可能性の優れたインジケータであると考えられている。血管分布レベルを測定することによって、灌流イメージングは腫瘍を特徴付けるのに役立つ。それはまた、治療手順（抗血管形成薬／放射線療法／化学療法など）の選択とその成功の予測とに役立ちうる。
【０００７】
腫瘍灌流イメージングは、複数の癌タイプ及び異なる臓器の診断に有用である可能性がある。しかしながら、結果の一貫性のある組織、正確な定量化、解析の標準化、臨床手順の最適化、患者の動き、画像アーチファクト、放射線と造影剤との双方の投与の低減などの信頼できる臨床適用を実現するための重大な障害が依然として存在する。さらに、今日のイメージングシステムの技術的能力は、常に十分であるとは限らない。さらに、従来の灌流解析アプローチによると、局所的な血流特性の完全な解析が提供及び可視化されるが、これらのアプローチは、同一の領域における異なる循環サブシステムの間を区別せず、これらの循環サブシステムの間の一意的な関係を示さない。残念ながら、単一の画像ボクセルでさえ複数の循環サブシステムのフローパターンを表すデータを有することが可能であり、互いに干渉し合うことがある。さらに、信号ノイズ及び／又は他の実際の不正確さは特に重大であり、解析をさらに複雑化する。
【発明の概要】
【発明が解決しようとする課題】
【０００８】
ここに説明される態様は、上述された問題などを解決する。
【課題を解決するための手段】
【０００９】
一態様では、灌流イメージングデータプロセッサは、灌流イメージングデータの時系列データセットの同一のボクセルのサブセットに表される２以上の循環サブシステムのそれぞれについて２以上の薬剤ピーク特性時間を判定するよう構成される薬剤ピーク特性時間判定手段を有する。当該プロセッサは更に、前記２以上の薬剤ピーク特性時間のそれぞれについて薬剤ピーク引数を判定するよう構成される薬剤ピーク引数判定手段を有する。当該プロセッサは更に、前記２以上の薬剤ピーク特性時間の薬剤ピーク引数の間の関係を判定するよう構成される薬剤ピーク引数関係判定手段を有する。当該プロセッサは更に、前記判定された関係と前記灌流イメージングデータとに基づき少なくとも１つの灌流マップを生成するよう構成される灌流マップ生成手段であって、前記少なくとも１つの灌流マップは、前記２以上の循環サブシステムの間の関係又は相違の少なくとも１つを視覚的に提示するボリュームイメージデータを含む、灌流マップ生成手段とを有する。
【００１０】
他の態様では、方法は、プロセッサが、灌流イメージングデータの時系列データセットの同一のボクセルのサブセットに表される２以上の異なる循環サブシステムに対応する２以上の薬剤ピーク特性時間に対応する薬剤ピーク引数の間の関係又は相違の少なくとも１つを、前記同一のボクセルのサブセットに基づき判定するステップと、前記関係又は相違の少なくとも１つを視覚的に提示するステップとを有する。
【００１１】
他の態様では、方法は、灌流イメージングデータの同一のボクセルのグループにおける２以上の薬剤ピークの間の関係又は相違の少なくとも１つを視覚的に示すイメージングデータを含む灌流マップを生成するステップを含む。
【００１２】
本発明は、各種コンポーネント及びコンポーネントの構成と各種ステップ及びステップの構成との形態をとりうる。図面は、好適な実施例を説明するためだけのものであり、本発明を限定するものとして解釈されるべきでない。
【図面の簡単な説明】
【００１３】
【図１】図１は、灌流イメージングデータプロセッサに関する一例となるイメージングシステムを概略的に示す。
【図２】図２は、灌流イメージングデータプロセッサ１２２の具体例を概略的に示す。
【図３】図３は、灌流イメージングデータを評価するための一例となる方法を示す。
【図４】図４は、灌流イメージングデータを評価するための他の一例となる方法を示す。
【図５】図５は、薬剤ピーク特性時間及びピーク引数を決定するための一例となる繰り返し方法を示す。
【図６】図６は、灌流マップを決定するための一例となる繰り返し方法を示す。
【図７】図７は、評価の一例を図示する。
【図８】図８は、最適化の一例を図示する。
【発明を実施するための形態】
【００１４】
以下は、一般に灌流イメージングデータにより表現される２以上の循環サブシステムの間の関係及び／又は相違を決定し、それを示す情報を生成することに関する。循環サブシステムの具体例として、限定することなく、肺循環サブシステム、体循環サブシステム、肝門脈循環サブシステム及び冠動脈循環サブシステムがあげられる。心臓、肺及び肝臓などの臓器によると、２つの循環サブシステムは同一臓器において活動している可能性がある。一般に、臓器では、動脈はより小さな動脈に分かれ、さらに毛細血管を形成するよう分かれ、臓器から出るより大きな血管を形成するよう統合し、静脈を形成するよう結合し、臓器を出て、最終的に大静脈に結合する。
【００１５】
肺循環サブシステムでは、肺動脈が心臓の右心室から生じて、脱酸素化血液を肺に運び、そこで血液は酸素化される。肺静脈は、心臓の左心房に酸素化血液を返す。体循環サブシステムでは、酸素化血液が心臓の左心室から大動脈にポンプされる。大動脈の分岐は体の組織の大部分に血液を送る。組織細胞は酸素化され、その後に脱酸素化された血液は大静脈を介し心臓に戻る。さらに、毒性のある二酸化炭素が細胞から取り出される。その後、血液は右心室に流れ、そこから肺循環に入る。
【００１６】
肝門脈循環サブシステムは、腸、脾臓、膵臓及び胆嚢のために働く。肝臓は、酸素化血液を肝臓に供給する肝動脈（大動脈のブランチ）と、脾臓、胃、膵臓、十二指腸及び結腸からの静脈の統合により形成される肝門静脈との２つの主要なソースから血液を受け取る。肝動脈と肝門静脈とは、血液が肝臓細胞と直接接触とする肝臓洞に入る。脱酸素化血液は、最終的に肝静脈を介し大静脈に流れる。冠動脈循環サブシステムは、心筋に酸素及び栄養素を供給し、二酸化炭素及び他の老廃物を心臓から取り除く。
【００１７】
適切な灌流イメージングデータは、ＣＴ、ＭＲＩ、ＰＥＴ、ＳＰＥＣＴ、ＵＳ、光トモグラフィ及び／又は他の灌流イメージングデータを含む。説明及び簡単化のため、以下において、ＣＴ灌流イメージングデータに関するシステム及び／又は方法が説明される。図１をまず参照して、ＣＴ（Ｃｏｍｐｕｔｅｄ  Ｔｏｍｏｇｒａｐｈｙ）スキャナなどのイメージングシステム１００が示される。イメージングシステム１００は、固定ガントリ１０２と、固定ガントリ１０２により回転可能に支持される回転ガントリ１０４とを含む。回転ガントリ１０４は、検査領域１０６及びその中のオブジェクト又は被検者の一部の周りを縦軸又はｚ軸に関して回転する。
【００１８】
Ｘ線チューブなどの放射線ソース１０８が、検査領域１０６の周りの回転ガントリ１０４により支持されて回転する。放射線ソース１０８は、検査領域１０６を移動する全体的にファン、ウェッジ又はコーン状の放射ビームを形成するようコリメートされた放射線を発射する。放射線感知検出装置アレイ１１０は、検査領域１０６を移動する放射線ソース１０８により発射された光子を検出し、検出された放射線を示すプロジェクションデータを生成する。放射線感知検出装置アレイ１１０は、１次元又は２次元アレイの検出ピクセルを含む。
【００１９】
椅子などの被検者サポート１１２は、検査領域１０６において被検者１０８又はオブジェクトを支持し、螺旋状、軸状又は他の所望のスキャニング軌道を実現するため、回転ガントリ１０４の回転と連動してｘ、ｙ及びｚ軸方向に沿って移動可能である。注入器１１４は、スキャン対象の被検者又はオブジェクトに１以上の造影剤などの物質を注入又は投与するよう構成される。造影剤はさらに又はあるいは、医師などにより手動により投与可能である。造影剤が手動により投与される場合、注入器１１４は省略可能である。
【００２０】
再構成手段１１６は、プロジェクションデータを再構成し、検査領域１０６を示す時系列のボリューム画像データを生成する。フィルタバックプロジェクション、統計、繰り返し、スパースサンプリング及び／又は他の再構成アルゴリズムなどの各種再構成アルゴリズムが利用可能である。汎用計算システムが、オペレータコンソールとして利用される。コンソール１１８に常駐し、プロセッサにより実行されるソフトウェアは、オペレータが灌流手順などのイメージング手順を選択し、スキャニングを開始することを可能にするなどによって、オペレータがシステム１００の処理を制御することを可能にする。
【００２１】
データレポジトリ１２０は、システム１００により生成されたイメージングデータを格納するのに利用可能である。データレポジトリ１２０は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）、ＲＩＳ（Ｒａｄｉｏｌｏｇｙ  Ｉｎｆｏｒｍａｔｉｏｎ  Ｓｙｓｔｅｍ）、ＨＩＳ（Ｈｏｓｐｉｔａｌ  Ｉｎｆｏｒｍａｔｉｏｎ  Ｓｙｓｔｅｍ）、ＥＭＲ（Ｅｌｅｃｔｒｏｎｉｃ  Ｍｅｄｉｃａｌ  Ｒｅｃｏｒｄ）データベース、サーバ、コンピュータ及び／又は他のデータレポジトリの１以上を含むものであってもよい。データレポジトリ１２０は、システム１００（図示されるように）にローカルとすることが可能であるか、又はシステム１００からリモートとすることが可能である。
【００２２】
灌流イメージングデータプロセッサ１２２は、システム１００及び／又はデータレポジトリ１２０からの灌流イメージングデータなどの灌流イメージングデータを処理するよう構成される。以下でより詳細に説明されるように、灌流イメージングデータプロセッサ１２２は、灌流イメージングデータにより表現される２以上の循環サブシステムの間の関係及び／又は相違を判断し、それを示す情報を生成する。一例では、生成された情報はより良好な結果を提供し、灌流イメージングデータプロセッサ１２２が使用されないか、又は省略されるコンフィギュレーションに対する結果を向上させる。当該結果は、腫瘍の検出、腫瘍の特徴付け（血管分布レベル、攻撃性、転移の可能性など）、治療の選択、複数の治療タイプの治療の成功の予測、フォローアップ研究（特に治療のため抗血管形成薬を使用するとき）などを促進するものであってもよい。
【００２３】
ディスプレイ１２４は、少なくとも灌流イメージングデータプロセッサ１２２により生成された情報を視覚的に提示するよう構成される。
【００２４】
灌流イメージングデータプロセッサ１２２は、物理メモリなどのコンピュータ可読記憶媒体に符号化又は埋め込まれた１以上のコンピュータ可読命令を実行するプロセッサを介し実現可能であることが理解されるべきである。このようなプロセッサは、コンソール１１８及び／又は他の計算装置の一部とすることが可能である。さらに又は代わりに、プロセッサは、搬送波、信号又は一時的な媒体などの他の非コンピュータ可読記憶媒体により搬送される少なくとも１つのコンピュータ可読命令を実行可能である。
【００２５】
図２は、灌流イメージングデータプロセッサ１２２の一例を概略的に示す。図示された実施例では、灌流イメージングデータプロセッサ１２２は、システム１００、データレポジトリ１２０及び／又は他の装置から灌流イメージングデータを取得する。
【００２６】
ボクセル特定手段２０２は、取得したイメージングデータにおいて処理すべき１以上のボクセルの１以上のグループを特定するよう構成される。ボクセル特定手段２０２は、自動的アプローチ及び／又はユーザ入力を用いて、１以上のボクセルの１以上のグループを特定可能である。
【００２７】
解析手段２０４は、薬剤ピーク特性時間判定手段２０６、確率分布判定手段２０８又は薬剤ピーク引数判定手段２１０の１以上を有する。
【００２８】
薬剤ピーク特性時間判定手段２０６は、ボクセルのグループから時間の関数として被検者又はオブジェクトの全体的に管状の構造（血管又は血管のメッシュなど）におけるピーク薬剤摂取時間に対応する薬剤ピーク特性時間を判定するよう構成される。このようなピークは、強度、勾配などに基づき特定されてもよい。複数の薬剤及び／又はピークについて、特性時間は薬剤及び／又はピークの１以上について決定される。
【００２９】
確率分布判定手段２０８は、ピークが“真”のピークである確率を確率分布が示す各薬剤ピーク特性時間について確率分布を判定するよう構成される。例えば、不正確さ、ノイズなどのため、ピークの位置は決定的でないかもしれず、各ピークについて候補となる特性時間のいくつか又は範囲が判定され、それぞれは異なる確率を有する。
【００３０】
本実施例では、薬剤ピーク特性時間判定手段２０６及び／又は確率分布判定手段２０８は、初期的なモデルを利用して複数のピークを判定する。当該モデルは、ピーク形状、大きさ、制約などを含むものであってもよい。一般に、モデルはイメージ値（又は信号）のベクトルに対する時間及び／又は他の表現について適用可能である。
【００３１】
薬剤ピーク特性時間判定手段２０６及び／又は確率分布判定手段２０８は、対象となる造影物質がイメージングデータに最初に出現する時間、心臓／大動脈入力関数の推定、投与された薬剤の濃度及びボリュームに関する事前情報などの情報を利用して、ピーク特性時間を判定可能である。
【００３２】
薬剤ピーク引数判定手段２１０は、ピーク特性時間について、ピーク強度、ピーク勾配、ピークの近傍における積分を示す値、大動脈又は大静脈のピーク時間に対するピークまでの時間などの１以上のピーク引数を判定するよう構成される。ピーク引数はまた、例えば、大動脈及び／又は他の情報などにより正規化可能である。
【００３３】
ピーク引数関係判定手段２１２は、２以上の異なるピークの引数の間の関係を判定するよう構成される。これは、限定することなく、経時的に第１ピークと第２ピークとの間の優勢なピーク、ＨＰＩ（Ｈｅｐｔｉｃ  Ｐｏｒｔａｌ  Ｉｎｄｅｘ）、重み付けされた動脈灌流などを選択することを含む。
【００３４】
灌流マップ生成手段２１４は、各ボクセル又は領域が関係の値を表すボリュームイメージングデータとして表現可能な灌流関数マップを生成する。ボリュームデータは、例えば、各イメージがｚ軸及び／又はそれ以外に沿ったスライスに対応する２次元イメージセット（重畳又は分離された）として構成可能である。
【００３５】
最適化手段２１６は、繰り返し又は非繰り返し最適化アプローチを用いて灌流マップを最適化するよう構成される。
【００３６】
イメージプロセッサ２１８は、少なくとも灌流マップを処理し、ディスプレイ１２４及び／又は他の装置を介し関数マップを視覚的に表示する。例えば、一例では、色相が１つのピーク引数（又は複数の引数の関係）を表現するのに利用可能であり、カラー強度が他の引数又は複数の引数の関係を表すのに利用可能である。任意的には、カラー化されたイメージは、グレイスケールイメージ（解剖情報又は他の情報を表すことが可能である）と半透過的に合成可能である。
【００３７】
あるいは、１つの引数又は引数関係関数が、カラースケール（フル強度などにより）又はグレイスケールによって可視化される。他の例では、２以上の引数又は引数関係関数が、分離したイメージにより可視化される（例えば、互いに近接して）。更に又は代わりに、他の情報がグラフ（時間放射能曲線など）、ヒストグラム（より大きなＲＯＩにおけるボクセルの統計量など）及び／又は他の視覚的形式により表示可能である。
【００３８】
図３は、灌流イメージングデータを評価するための一例となる方法を示す。ここに記載される方法における実行順序は限定的でないことが理解されるべきである。また、他の順序もここでは想定される。さらに、１以上の処理は省略されてもよく、及び／又は１以上の追加的な処理が含まれてもよい。
【００３９】
ステップ３０２において、灌流スキャンからのイメージングデータが取得される。一般に、イメージングデータは、異なる時点に取得されたデータ間の空間位置合わせを含む再構成された時系列ボリュームデータを含む。イメージングデータは、１以上の補正及び／又は他の後処理を介し処理されたものであってもよい。ここで説明される灌流イメージングデータは、ＣＴ、ＭＲＩ、ＰＥＴ、ＳＰＥＣＴ、ＵＳ及び／又は他の灌流イメージングデータを含むことが可能であり、イメージングシステム及び／又はデータレポジトリから取得可能である。
【００４０】
３０４において、灌流イメージングデータプロセッサ１２２は、イメージングデータを評価し、関心のある１以上のボクセル又はボクセルの領域のセットについて、同一の臓器又は組織の領域において活動し表現された２以上の異なる循環サブシステムの所定の特性を判定する。
【００４１】
３０６において、灌流イメージングデータプロセッサ１２２は、２つの循環サブシステムの判定された特性の間の所定の関係及び／又は相違を判定する。一例では、ノイズ、他の不正確さ及び限定に対する関係及び／又は相違のロウバスト性を改善するため、繰り返し最適化が利用される。例えば、繰り返し最適化は、同時に目的となるマップ状態を改善し（例えば、トータルバリエーション最小化アプローチなどにより）、循環サブシステムの灌流特性が所定のモデル及び制約に適合する確率を最大化してもよい。
【００４２】
３０８において、１以上の（例えば、ボクセル単位の）灌流マップが、関係及び／又は相違に基づき生成される。
【００４３】
３１０において、１以上の灌流マップの少なくとも１つが視覚的に表示される。
【００４４】
図４は、灌流イメージングデータを評価するための他の一例となる方法を示す。同様に、ここに説明される方法の処理順序は限定的でないことが理解されるべきである。また、他の順序が想定される。さらに、１以上の処理は省略されてもよく、及び／又は１以上の追加的な処理が含まれてもよい。
【００４５】
４０２において、ボクセルのセット（１以上のグループなど）に対応するイメージングデータのサブセットが、灌流イメージングデータから取得される。これは、灌流イメージングデータのサブセット又は全体の時系列を介し１以上のボクセルのイメージングデータを取得することを含むものであってもよい。これは、手動及び／又は自動化されたアプローチを介して可能である。
【００４６】
４０４において、任意的には、イメージングデータのサブセットが予め調整される。これは、フィルタリング、ノイズ除去、空間スムージング、時間スムージング、リサンプリング、時系列に沿った空間位置合わせ、動き補正、畳み込み解除、正規化及び／又は他の処理を含むものであってよい。
【００４７】
４０６において、任意的には、造影剤、患者、１以上の以前の調査などに関する情報など、イメージングデータに含まれない他の情報が取得される。このような情報は、投与された造影物質が最初にイメージングデータに出現した時間、投与された造影物質の濃度、被検者又はオブジェクトの重さ、心臓／大動脈入力機能の推定などを含むものであってもよい。
【００４８】
４０８において、薬剤ピークを判定するためのモデルが取得される。当該モデルは、ピーク形状、大きさ、制約、造影物質ピーク特性時間を判定するためのアルゴリズム、造影物質ピーク特性時間の確率分布を判定するためのアルゴリズム、造影物質ピーク引数を判定するためのアルゴリズムなどを含むことが可能である。
【００４９】
４１０において、ボクセルのサブセットについて、薬剤ピーク特性時間、薬剤ピーク特性時間の確率分布及び／又は薬剤ピーク特性時間の薬剤ピーク引数の少なくとも１つが決定される。
【００５０】
４１２において、１以上の灌流マップが、薬剤ピーク特性時間、薬剤ピーク特性時間の確率分布及び／又は薬剤ピーク特性時間の薬剤ピーク引数に基づき生成される。
【００５１】
４１４において、評価すべき他のボクセルセットがある場合、処理４０２〜４１２が繰り返される。あるいは、処理４０２〜４１２は、関心のある複数の特定されたボクセルセットについて同時にパラレルに実行可能である。
【００５２】
４１６において、１以上の灌流マップの少なくとも１つが、ここに説明されるように視覚的に提供される。
【００５３】
図５は、図４の処理４１０の一例を示す。ここに説明される方法の処理順序は限定的でないことが理解されるべきである。また、他の順序が想定される。さらに、１以上の処理が省略され、及び／又は１以上の追加的な処理が含まれてもよい。
【００５４】
５０２において、循環サブシステムに対応する血流ピークの１以上の薬剤ピーク特性時間が、当該モデル、イメージングデータのサブセット及びすでに決定された何れかのピーク特性時間に基づき決定される。
【００５５】
５０４において、１以上の決定された薬剤ピーク特性の１以上の確率分布が、当該モデルに基づき生成される。
【００５６】
５０６において、決定された各薬剤ピーク特性時間の引数セットが、当該モデル、１以上の薬剤ピーク特性時間及び確率分布に基づき決定される。これは、特性時間が固定された制約である汎用アルゴリズムに基づきイメージングデータをガンマバリエイトモデルに適合させることを含むものであってもよい。
【００５７】
５０８において、少なくとも１つの他の循環サブシステムについて、処理５０２〜５０６が少なくとも１回繰り返される。相互ピーク制約及び／又は一貫性基準セットとの適合性がチェック可能である。
【００５８】
５１０において、停止基準が充足されない場合、処理５０２〜５０８が繰り返される。停止基準は、順次的な結果と所定の停止閾値、繰り返し回数、経過時間及び／又は他の停止基準との間の相違に基づくものであってもよい。
【００５９】
そうでない場合、５１２において、薬剤特性時間、確率分布及び／又は引数セットが、図４の処理４１２に関して利用される。
【００６０】
一変形では、処理５０６が処理５１０の後に実行される。
【００６１】
図６は、図４の処理４１２の一例を示す。ここに説明される方法の処理の順序は限定的でないことが理解されるべきである。また、他の順序が想定される。さらに、１以上の処理が省略され、及び／又は１以上の追加的な処理が含まれてもよい。
【００６２】
６０２において、異なる薬剤ピーク特性時間のそれぞれの薬剤ピーク引数間の少なくとも１つの関係が、時間的に選択された異なる薬剤ピーク特性時間に対応して決定される。
【００６３】
６０４において、各関係について、灌流マップが生成される。
【００６４】
６０６において、灌流マップに関する制約及びコスト関数のモデルが取得される。例えば、マップに関するコスト関数は、マップの空間勾配に関する和及び／又は何れかのバージョンのトータルバリエーション技術を含むことが可能である。
【００６５】
６０８において、任意的には、特性時間に関する相互制約及び／又はコスト関数が取得される。例えば、特性時間に関する制約は、特性時間の選択を最適化するための試み中、２つの時間の間の時間差が特定の時間範囲ないであるべきであるという定義を含むことが可能である。
【００６６】
６１０において、薬剤ピーク特性時間は、所定の制約又はコスト関数を受ける複数の関係関数マップイメージ状態を同時に改善し、処理６０６及び／又は６０８のモデルに基づき選択された特性時間のトータル確率を増加させるよう変更される。これは、２以上の従属関数のグローバルな最小化の間で妥協可能なものを含む、勾配降下、遺伝的アルゴリズム又は他の最適化技術の１以上を介し実現可能である。
【００６７】
６１２において、停止基準が充足されない場合、処理６０２〜６１２が繰り返される。停止基準は、順次的な結果と所定の停止閾値、繰り返し回数、経過時間及び／又は他の停止基準との間の相違に基づくものであってもよい。
【００６８】
停止基準が充足された場合、６１４において、図４の処理４１４が実行される。
【００６９】
ここに説明される方法は、１以上のプロセッサに各種処理及び／又は他の機能及び／又は処理を実行させる物理メモリなどのコンピュータ可読記憶媒体に符号化又は実現される１以上のコンピュータ可読命令を実行する１以上のプロセッサを介し実現されてもよい。更に又は代わりに、１以上のプロセッサは、信号又は搬送波などの一時的な媒体により搬送される命令を実行可能である。
【００７０】
以下において、複数の循環サブシステムに関して非限定的な具体例が提供される。説明及び簡単化のため、以下は、２つの薬剤ピーク特性時間と２つの引数との関係に関して説明される。しかしながら、以下はより多く又はより少ない薬剤ピーク特性時間とより多く又はより少ない引数との関係及び／又は１以上の他の変数に格納可能であることが理解されるべきである。
【００７１】
各ボクセルの各ＴＡＣ（Ｔｉｍｅ−Ａｔｔｅｎｕａｔｉｏｎ−Ｃｕｒｖｅ）について、１）入力データ及び規定されたモデルに従って第１の初期特性時間ｔ０Ａ及び第２の初期特性時間ｔ０Ｂを決定する。２）確率分布Ｐ（ｔ０Ａ），Ｐ（ｔ０Ｂ）を決定する。３）灌流引数及びそれらの関係関数Ｆ１（ｔＡ，ｔＢ），Ｆ２（ｔＡ，ｔＢ）を決定する。４）ｔＡ，ｔＢ、それらの確率及びそれら相互の制約（モデルにより定義）の全ての組み合わせから、各灌流関係関数Ｐ（Ｆ１），Ｐ（Ｆ２）と各関係関数相互の組み合わせＰ（Ｆ１，Ｆ２）とについて確率を計算する。確率分布は、原則的に非正規的形状（例えば、非釣り鐘状、非対称、不連続など）を有してもよい。
【００７２】
その後、グローバルな最小値の引数が、トータルバリエーションアプローチに基づき決定される。このような引数の具体例がＡＲＧＵＭＥＮＴ１に示される。
【００７３】
【数１】
2014530706.tif 000003
ただし、ｋ１，ｋ２は重み付け係数であり、ｉはボリュームにおける全てのボクセルに対するインデックスランであり、
【００７４】
【数２】
2014530706.tif 000004
はＦの勾配を表し、ｒは実数の指数であり（ｒ＝１，２，３．２５など）、λ１，λ２は各関係関数マップにおける各ボクセルのフィデリティウェイトである。
【００７５】
ＡＲＧＵＭＥＮＴ１では、各関係関数マップ（すなわち、各灌流マップ）について２つの項があり、一方はトータルバリエーション項（Ｆの勾配を有する）であり、他方はフィデリティ項である。各項は全てのマップボクセル上の和を含み、２Ｄ又は３Ｄに適用されてもよい。繰り返しの最適化処理は、式全体が最小化されるように、Ｆ１，Ｆ２の最終的なマップを求めるべきである。フィデリティウェイト、λ１，λ２は、ＥＱＵＡＴＩＯＮ１に従って最小化プロセスの各繰り返しステップにおいて変更されてもよい。
【００７６】
【数３】
2014530706.tif 000005
ただし、ｈ１，ｈ２は、決定された範囲においてリニアである関数であり、一定のバイアス又はサチュレーション範囲を有してもよく、ｍは繰り返しインデックスであり、ｑ１，ｑ２はＦ１とＦ２との間のカップリング係数（レシオ）である。λがより大きい場合、それの初期値に対して中間的なＦの値をシフトするための“圧力”があり、λがより小さい場合、ローカルマップ勾配を最小化するため、それの値を変更するためのより大きな自由度がある。
【００７７】
上記はさらに、図７の具体例に関して説明される。図７において、ボクセルＴＡＣ  Ｓｍｅａｓｕｒｅｄは、単一のピークフローを表すと仮定されるレスポンスを示す。一例となるデータはノイズを含み、シャープなピークを示すものでない。特定のモデルによると、ＴＴＰ（Ｔｉｍｅ  Ｔｏ  Ｐｅａｋ）及び最大ピーク値（Ｅｍａｘ）が決定されるべきである。しかしながら、モデルは、ＴＴＰが選択された時間範囲におけるグローバルな最大値として、最大勾配までの時間と最大エンハンスメント値によって最も良く決定されることを規定してもよい。２つの定義は、理論的なＴＡＣ  Ｓｍｏｄｅｌの理想的なケースにおいて一致してもよい。
【００７８】
測定されたＴＡＣでは、初期的なＴＴＰは時間Ａにより決定され、最大エンハンスメントは時間Ｂにより決定される。想定される単一のピークの特性時間は、確率Ｐ（ｔ０）により規定されてもよい。例えば、Ｐ（ｔ０）から直接的に各関数Ｐ（ＴＴＰ）及びＰ（Ｅｍａｘ）について独立した確率分布を計算可能である。また、相互確率分布Ｐ（ＴＴＰ，Ｅｍａｘ）を決定することも可能である。例えば、データがモデルから乖離している場合、ノイズ又はアーチファクトのためでなく、サンプルの実際の複雑な行動のため、ｔ及びＳの測定された組み合わせのみが利用される（それぞれは特定の確率を有するが、他の理論的な組み合わせはゼロの確率を有する）。
【００７９】
一般に、モデルからの乖離の一部はノイズ又はアーチファクトによるものであり、他のものは真の異なる物理的動作によるものである。最適化処理について、２つの関数の間のカップリングの要求されるレベル（パラメータｑ１，ｑ２による）が予め決定できる。原則的に、ノイズ及びアーチファクトが相対的に大きい場合、カップリングレシオは低減できる（より小さなｑなど）。しかしながら、ノイズが最小であるが、真の動作はシンプルなモデルより複雑である場合、ＴＴＰとＥｍａｘとの間のカップリングは増加しうる（ｑの増加など）。
【００８０】
図８は、最適化処理の一例を図示する。この図では、ＦＶは関心ボリュームについて計算された１つのピーク引数関係関数マップを表す。ＦＶは２つのピークに関連する引数の関数である。説明の簡単化のため、当該範囲内の２つの近傍ボクセルＡ及びＢがハイライトされる。各ボクセルはそれぞれ、時間アクティビティ曲線信号ＳＡ，ＳＢを有する（すなわち、時間の関数としての信号又はイメージ値）。
【００８１】
最適化アルゴリズムは、第１ステップにおいて（所定のモデルなどに基づく）、２つの関連するピークを表す特性時間を計算する。各特性時間について、アルゴリズムは、不確実性を提供するよう確率分布Ｐを計算する。本例では、ボクセルＡの特性時間最大確率はそれぞれ、第１及び第２ピークについてｔ０Ａ１及びｔ０Ａ２の周りにある。
【００８２】
アルゴリズムは、各ピークについて所定の引数、すなわち、ａｒｇ１（ｔ０Ａ１）及びａｒｇ２（ｔ０Ａ２）又はそれ以上を計算する。例えば、要求される引数は、ｔ０Ａ１及びｔ０Ａ２の近傍の最大勾配であってもよい。各ボクセルについて、２つ（又は原則的にはそれ以上）の引数の間の関係関数ＦＶが計算される。例えば、関数は、ａｒｇ２／（ａｒｇ１＋ａｒｇ２）により規定されてもよい。コスト関数が、ボクセル単位マップ全体について計算される。例えば、コスト関数は、近傍のボクセル間のバリエーションの大きさに比例してもよい。
【００８３】
最適化アルゴリズムは、最適化繰り返し処理中、（全てのボクセル又はその一部について）２つのピークの仮に選択された特性時間を変更し、マップコスト関数の値を最小化すると同時に、ピーク確率を増加（最大化）することを試みる。アルゴリズムは、２つの要求（マップコスト関数を最小化し、特性時間確率を最大化すること）の間の最良の妥協点を見つけようとする。
【００８４】
本例では、特性時間ｔＡ１，ｔＡ２は、ｔ０Ａ１，ｔ０Ａ２の代わりに進捗した繰り返しステップにおいて選択される。この場合、ＰＡ１及びＰＡ２に関する対応する確率はより低いが、この結果、ＦＶＡとＦＶＢとの差分が最初より小さい場合、ＦＶに関するコスト関数はまたより小さくなる（すなわち、より良好になる）。図では、ｔ０Ｂ１，ｔ０Ｂ２は変更されていなかったが、もちろん一般にはそれらもまた変更可能である。
【００８５】
一変形では、血流ピークは特性時間よりも多い複数の変数により規定できる。更なる他のバージョンでは、ピーク引数自体は、特性時間の定義を必要とすることなく最適化処理のために利用可能な直接的な計算された確率と関連付け可能である。
【００８６】
本発明が、好適な実施例を参照して説明された。上述した詳細な説明を参照及び理解した他者に修正及び変更が想到しうる。本発明は添付した請求項又はそれの均等の範囲内に属する限り、このような全ての修正及び変更を含むものとして解釈されることが意図される。
【図１】
2014530706.tif 000006
【図２】
2014530706.tif 000007
【図３】
2014530706.tif 000008
【図４】
2014530706.tif 000009
【図５】
2014530706.tif 000010
【図６】
2014530706.tif 000011
【図７】
2014530706.tif 000012
【図８】
2014530706.tif 000013
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
灌流イメージングデータの時系列データセットの同一のボクセルのサブセットに表される２以上の循環サブシステムのそれぞれについて２以上の薬剤ピーク特性時間を判定するよう構成される薬剤ピーク特性時間判定手段と、
前記２以上の薬剤ピーク特性時間のそれぞれについて薬剤ピーク引数を判定するよう構成される薬剤ピーク引数判定手段と、
前記２以上の薬剤ピーク特性時間の薬剤ピーク引数の間の関係を判定するよう構成される薬剤ピーク引数関係判定手段と、
前記判定された関係と前記灌流イメージングデータとに基づき少なくとも１つの灌流マップを生成するよう構成される灌流マップ生成手段であって、前記少なくとも１つの灌流マップは、前記２以上の循環サブシステムの間の関係又は相違の少なくとも１つを視覚的に提示するボリュームイメージデータを含む、灌流マップ生成手段と、
を有する灌流イメージングデータプロセッサ。
【請求項２】
２以上の薬剤ピーク特性時間のそれぞれの確率分布を判定するよう構成される確率分布判定手段であって、各確率分布は１つの循環サブシステムに対応する、確率分布判定手段を更に有し、
前記２以上の薬剤ピーク特性時間の１つの確率分布は、前記２以上の薬剤ピーク特性時間の１つの対応するピークが前記循環サブシステムの真のピークである確率を表し、
前記ピーク引数判定手段は、前記同一の循環サブシステムの複数の薬剤ピーク特性時間から選択された１つの薬剤ピーク特性時間に基づき、前記循環サブシステムの１つについて薬剤ピーク引数を判定する、請求項１記載のプロセッサ。
【請求項３】
前記薬剤ピーク特性時間判定手段は、薬剤ピーク特性時間を判定するためのアルゴリズムを含む第１モデルに基づき、前記２以上の薬剤ピーク特性時間を判定する。請求項１又は２記載のプロセッサ。
【請求項４】
前記ピーク引数判定手段は、ピーク引数を判定するためのアルゴリズムを含む第２モデルに基づき、前記ピーク引数を判定する、請求項１乃至３何れか一項記載のプロセッサ。
【請求項５】
前記薬剤ピーク特性時間判定手段は、前記２以上の薬剤ピーク特性時間を繰り返し判定し、
１以上の繰り返しにおいて、薬剤ピーク特性時間が、以前に判定された薬剤ピーク特性時間に基づき判定される、請求項１乃至４何れか一項記載のプロセッサ。
【請求項６】
前記薬剤ピーク引数関係判定手段は、前記薬剤ピーク引数の間の関係を繰り返し判定し、
１以上の繰り返しにおいて、薬剤ピーク引数関係が、前記同一の繰り返し中に生成された薬剤ピーク特性時間に基づき判定される、請求項５記載のプロセッサ。
【請求項７】
１以上の繰り返しにおいて、前記ピークの適合性が、ピーク制約と一貫性基準とを含むモデルに対してチェックされる、請求項５又は６記載のプロセッサ。
【請求項８】
前記灌流マップ生成手段は、前記信号を繰り返し判定し、
１以上の繰り返しにおいて、前記薬剤ピーク引数関係判定手段は、異なる薬剤ピーク特性時間の薬剤ピーク引数の間の関係を判定し、
前記灌流マップ生成手段は、判定された各関係について前記信号を繰り返し判定する、請求項１乃至７何れか一項記載のプロセッサ。
【請求項９】
１以上の繰り返しにおいて、少なくとも１つの異なる薬剤ピーク特性時間が利用され、
前記少なくとも１つの異なる薬剤ピーク特性時間は、所定の制約又はコスト関数の１以上を受けるマップイメージ状態を向上させる薬剤ピーク特性時間に対応する、請求項８記載のプロセッサ。
【請求項１０】
１以上の繰り返しにおいて、少なくとも１つの異なる薬剤ピーク特性時間が利用され、
前記少なくとも１つの異なる薬剤ピーク特性時間は、前記薬剤ピーク特性時間のトータルの確率を増加させる薬剤ピーク特性時間に対応する、請求項８又は９記載のプロセッサ。
【請求項１１】
前記薬剤ピーク引数は、ピーク強度、ピーク勾配又はピークの周囲の領域に関する情報の少なくとも１つを含む、請求項１乃至１０何れか一項記載のプロセッサ。
【請求項１２】
前記灌流マップを視覚的に提示するよう構成されるイメージプロセッサを更に有し、
前記灌流マップは、分離したイメージ又は重畳したイメージの少なくとも１つを視覚的に提示し、
前記イメージのそれぞれは、異なる循環サブシステム、前記循環サブシステムの間の関係又は前記循環サブシステムの間の相違の少なくとも１つに対応する、請求項１乃至１１何れか一項記載のプロセッサ。
【請求項１３】
前記２以上の循環サブシステムの間の関係又は相違の少なくとも１つが、異なるカラーを用いて視覚的に強調される、請求項１２記載のプロセッサ。
【請求項１４】
前記２以上の循環サブシステムに対応する他の情報がまた、グラフ、ヒストグラム又はテーブルの１以上により視覚的に提示される、請求項１２又は１３記載のプロセッサ。
【請求項１５】
プロセッサが、灌流イメージングデータの時系列データセットの同一のボクセルのサブセットに表される２以上の異なる循環サブシステムに対応する２以上の薬剤ピーク特性時間に対応する薬剤ピーク引数の間の関係又は相違の少なくとも１つを、前記同一のボクセルのサブセットに基づき判定するステップと、
前記関係又は相違の少なくとも１つを視覚的に提示するステップと、
を有する方法。
【国際調査報告】
2014530706.tif 000014
2014530706.tif 000015